(57)【要約】【課題】石炭ガス化システムのガス精製装置において、小さい動力で配管等の腐食を防止する。【解決手段】石炭ガス化のために石炭から取り出された粗製ガスを浄化する水洗塔１６１と、硫化カルボニル転化器１６４と、加湿部１５２と、これらを接続する配管１２１、１２２、１２３、１２４、１２８とを備えたガス精製装置３００において、加湿部１５２は、石炭ガス化システムの運転を停止している期間中における配管１２１、１２２、１２３、１２４、１２８の内部の湿度を９０％以上に維持する機能を有する。【選択図】図１
2014185208.tif 000002
【特許請求の範囲】
【請求項１】
石炭ガス化のために石炭から取り出された粗製ガスを浄化する水洗塔と、硫化カルボニル転化器と、加湿部と、これらを接続する配管とを備え、前記加湿部は、石炭ガス化システムの運転を停止している期間中における前記配管の内部の湿度を９０％以上に維持する機能を有することを特徴とするガス精製装置。
【請求項２】
前記加湿部は、水を保持する容器と、前記水に空気を供給するポンプとを有することを特徴とする請求項１記載のガス精製装置。
【請求項３】
前記加湿部は、水を噴霧する噴霧部を有することを特徴とする請求項１記載のガス精製装置。
【請求項４】
石炭ガス化のために石炭から取り出された粗製ガスを浄化する水洗塔と、硫化カルボニル転化器と、水を保持する容器である洗浄水タンクと、これらを接続する配管とを備え、前記洗浄水タンクは、前記水を液体状態で前記配管の内部に供給する機能を有することを特徴とするガス精製装置。
【請求項５】
前記洗浄水タンクは、石炭ガス化システムの運転を停止している期間中における前記配管の内部の湿度を９０％以上に維持する機能を有することを特徴とする請求項４記載のガス精製装置。
【請求項６】
前記水は、５０ｐｐｍ以上の亜硝酸ナトリウムを含み、又は、水素イオン指数が９．５以上であることを特徴とする請求項４又は５に記載のガス精製装置。
【請求項７】
ガス化炉と、請求項１〜６のいずれか一項に記載のガス精製装置とを備えたことを特徴とする石炭ガス化システム。
【請求項８】
ガス化炉と、請求項１〜６のいずれか一項に記載のガス精製装置と、ガスタービンとを備えたことを特徴とする石炭ガス化発電プラント。
【請求項９】
さらに、排熱回収ボイラと、蒸気タービンとを備えたことを特徴とする請求項８記載の石炭ガス化発電プラント。
【発明の詳細な説明】
【技術分野】
【０００１】
本発明は、ガス精製装置並びにこれを備えた石炭ガス化システム及び石炭ガス化発電プラントに関する。
【背景技術】
【０００２】
石炭ガス化発電プラントは、石炭をガス化するため、その内部には腐食性のガス成分であるＣＯ２、ＮＯｘ、Ｃｌ、ＳＯｘ、ＨＳ等が配管や機器の内部に存在する。特に、生成したガスを精製するためにアンモニアを含む水にガスを通し、その下流側では水分と腐食性のガス成分と水が存在する環境となり、金属材料に対する腐食性が著しく高くなる。そのため、一般に、耐食性の高いステンレス鋼等が使用されているが、それでも運転時及び停止保管時に著しく腐食することがあり、問題となっている。
【０００３】
特許文献１には、冷却塔及び吸収塔循環液のｐＨを１０以上に調整する停止中の防食方法、並びに、装置の停止と同時に装置内の液をすべて抜き出し、水洗する方法が記載されている。
【０００４】
特許文献２には、石炭ガス化プラント起動時の湿式ガス処理装置における鉄材料等の腐食を抑制することを目的として、ガス洗浄器でガス成分を吸収した循環水のｐＨを６ないし９の弱酸性ないし弱アルカリ性とすることのできるｐＨ調整手段を設けた石炭ガス化プラントの起動排ガス処理装置が記載されている。
【先行技術文献】
【特許文献】
【０００５】
【特許文献１】特開平４−３４６８１８号公報
【特許文献２】特開平１１−１２８６５９号公報
【発明の概要】
【発明が解決しようとする課題】
【０００６】
本発明の目的は、石炭ガス化システムのガス精製装置において、小さい動力で配管等の腐食を防止することにある。
【課題を解決するための手段】
【０００７】
本発明のガス精製装置は、石炭ガス化のために石炭から取り出された粗製ガスを浄化する水洗塔と、硫化カルボニル転化器と、加湿部と、これらを接続する配管とを備え、加湿部は、石炭ガス化システムの運転を停止している期間中における配管の内部の湿度を９０％以上に維持する機能を有することを特徴とする。
【発明の効果】
【０００８】
本発明によれば、石炭ガス化システムのガス精製装置において、安価な材料を用いた配管等であっても腐食を抑制することができ、これにより製造コストを低減することができる。このため、配管等のメンテナンスのためのコストを低減することができる。
【０００９】
また、本発明によれば、大量の水をポンプ等で送る必要がないため、必要な動力を小さくすることができ、これによりランニングコストを低減することができる。
【図面の簡単な説明】
【００１０】
【図１】加湿部を有するガス精製装置の例を示す概略構成図である。
【図２】洗浄機能を有するガス精製装置の例を示す概略構成図である。
【図３】湿度を管理した環境下における腐食試験の結果を示すグラフである。
【図４】孔食深さに及ぼす亜硝酸ナトリウム濃度の影響を示すグラフである。
【図５】炭素鋼の腐食速度に及ぼすｐＨの影響を示すグラフである。
【図６Ａ】石炭ガス化発電プラントの例を示す概略構成図である。
【図６Ｂ】石炭ガス化システムの例を示す概略構成図である。
【発明を実施するための形態】
【００１１】
本発明は、石炭ガス化発電プラントのガス精製装置に加湿又は洗浄をする機能を付加し、配管に付着した酸性成分及び塩類を水（凝縮水も含む。）で希釈することを特徴とする。
【００１２】
図６Ａは、石炭ガス化発電プラントの例を示したものである。
【００１３】
本図において、石炭ガス化発電プラントは、ガス化炉２００と、ガス精製装置３００と、燃焼器を含むガスタービン５００と、排熱回収ボイラ６００と、蒸気タービン７００と、排ガスを放出する煙突８００とを備えている。
【００１４】
ガス化炉２００には、微粉炭１を供給し、微粉炭１の成分をガス化して石炭ガスを製造する。この石炭ガスをガス精製装置３００に導入し、不純物を除去する。精製したガスは、燃焼器に導入され、空気５０１（酸素）と混合され、燃焼し、ガスタービン５００の動力源となる。このガスタービン５００により第一段階の発電が行われる。ガスタービン５００を通過した燃焼ガス（排ガス）は、排熱回収ボイラ６００にて水を蒸発させる熱源として用いられる。ここで発生した水蒸気は、蒸気タービン７００に送られ、第二段階の発電の動力源となる。
【００１５】
図６Ｂは、石炭ガス化発電プラントの一部を構成する石炭ガス化システムの例を示したものである。
【００１６】
本図において、石炭ガス化システムは、空気圧縮機１０１と、酸素製造装置１００と、ガス化炉２００と、熱回収装置２１０と、サイクロン２２０と、フィルタ２３０と、水洗塔等を含むガス精製装置３００と、脱硫装置３１０と、一酸化炭素変換装置４００と、二酸化炭素吸収装置４１０とを備えている。本図に示すものは一例であり、石炭ガス化システムの構成は、本図に限定されるものではない。
【００１７】
石炭ガス化システムにおいては、空気４が空気圧縮機１０１で加圧され、酸素製造装置１００に供給される。酸素製造装置１００においては、圧力スイング吸着装置等を用いて空気４が酸素３と窒素２とに分離される。
【００１８】
図示していない燃焼器又は燃焼炉で燃焼する燃料の石炭は、予め微粉砕された微粉炭１を、酸素製造装置１００で製造された窒素２を搬送媒体としてガス化炉２００に供給し、同時に酸素製造装置１００で製造された酸素３もガス化炉２００に供給する。微粉炭１は、ガス化炉２００にて蒸し焼きにされ、石炭ガスとなる。ここで、微粉炭１の搬送は、窒素２を搬送媒体とする方式を例として記載したが、これに限定されるものではない。
【００１９】
ガス化炉２００でガス化された石炭ガスは高温のガスであるため、ガス化炉２００の下流側に設置した熱回収装置２１０で石炭ガスが保有する熱を回収して蒸気を生成する。
【００２０】
熱回収装置２１０にて熱が回収され冷却された石炭ガス５は、サイクロン２２０、フィルタ２３０、ガス精製装置３００及び脱硫装置３１０を通過し、精製され、一酸化炭素変換装置４００に導入される。熱回収装置２１０を通過した石炭ガス５には、石炭中の灰分やカーボン分が固体として含まれているため、サイクロン２２０及びフィルタ２３０によって脱塵する。
【００２１】
脱塵された石炭ガス５は、アンモニア、塩化水素など、後段に配設した脱硫装置３１０の障害となる物質を除去するために、水洗塔を含むガス精製装置３００を経て、脱硫装置３１０に供給される。
【００２２】
脱硫装置３１０には、通常、アミン類からなる吸収液が供給されるようになっている。吸収液と接触した石炭ガス５は、脱硫装置３１０によって硫化水素などの硫黄成分が除去され、精製ガス６となる。精製ガス６は、脱硫装置３１０からその下流側に設置した熱交換器４０１を経て一酸化炭素変換装置４００に供給される。一酸化炭素変換装置４００においては、精製ガス６に含まれる一酸化炭素が蒸気２１と接触して二酸化炭素に変換され、同時に、蒸気２１が分解されて水素が生成し、二酸化炭素及び水素を含むシフトガス７となる。
【００２３】
一酸化炭素変換装置４００は、通常、２００℃〜４５０℃の温度条件で運転される。しかしながら、精製ガス６の温度は約４０℃と低温であるため、熱交換器４０１によって精製ガス６を加熱し、一酸化炭素変換装置４００内で蒸気が凝縮しない温度となるように精製ガス６を昇温して供給する。
【００２４】
シフトガス７は、二酸化炭素吸収装置４１０に供給され、アミン系吸収液と接触して脱炭酸ガス８となる。脱炭酸ガス８は、図６Ａに示す石炭ガス化発電プラントの燃焼器に送られ、複合発電に用いられる。
【００２５】
次に、上記石炭ガス化システムの起動又は停止時における運転方法について説明する。
【００２６】
ガス化炉２００の起動又は停止の際においては、窒素２が酸素製造装置１００から一酸化炭素変換装置４００にパージガスとして供給される。窒素２は、燃料貯蔵タンク１１００から燃料流量調整バルブを介して供給した燃料ガス３０と共に燃焼装置１０００に供給され、燃焼する。図６Ｂにおいては、燃料ガス貯蔵装置１１００からの燃料ガス３０を燃料装置１０００に直接導入するものを図示しているが、燃焼装置１０００の上流側で酸素製造装置１００からの窒素２と合流するように配管系統を構成しても良い。
【００２７】
窒素２中に含まれる酸素は、燃焼装置１０００において燃料ガスとの酸化反応により完全に消費される。そして、燃焼装置１０００で燃焼して排出される燃焼ガスは、ガス中に酸素が全く存在していない燃焼ガスとして一酸化炭素変換装置４００に供給される。具体的には、脱硫装置３１０から熱交換器４０１を経由して一酸化炭素変換装置４００に至る配管系統であって、熱交換器４０１より上流側の配管系統に供給される。供給箇所はこれに限定されるものではない。
【００２８】
ガス中に酸素が全く存在していない燃焼ガスを生成するため、燃焼装置１０００には、低濃度の酸素ガスでも燃焼可能な燃焼触媒を用いることが有効である。
【００２９】
燃焼装置１０００で生成した燃焼ガス中には、一酸化炭素変換装置４００に充填された一酸化炭素転換触媒を酸化する酸素が含まれていない。このため、この燃焼ガスを用いて一酸化炭素変換装置４００の加熱又は冷却をしても、一酸化炭素転換触媒が還元状態で保持される。これにより、一酸化炭素変換装置４００を常に正常に運転することができる。
【００３０】
以下、実施例について説明する。
【実施例１】
【００３１】
図１は、石炭ガス化発電プラントのガス精製装置に加湿装置（加湿部）を取り付けた例を示したものである。
【００３２】
本図において、ガス精製装置３００は、水洗塔１６１と、熱交換器１５３と、ＣＯＳ転化器１６４（硫化カルボニル転化器）と、加湿タンク１５２（加湿部）とを備えている。すなわち、本図に示すガス精製装置３００は、従来のガス精製装置に加湿タンク１５２を付加したものである。加湿タンク１５２には、純水を入れてある。また、ＣＯＳ転化器１６４は、粗製ガスに含まれる硫化カルボニル（ＣＯＳ）を硫化水素（Ｈ２Ｓ）に変換する機能を有する。
【００３３】
石炭から取り出された粗製ガスは、配管１２０から、粗製ガス中の不純物を取り除くためのアンモニア水が入っている水洗塔１６１に通され、浄化（精製）される。しかし、不純物の一部は残り、更に下流側の配管１２１に送られる。
【００３４】
さらに、配管１２１に送られたガスは、熱交換器１５３及び配管１２３を通り、ＣＯＳ転化器１６４に送られる。その後、当該ガスは、配管１２４を通り、熱交換器１５３で熱交換をした後、配管１２５から次の脱硫装置へ送られる。
【００３５】
ガス精製装置１００においては、水洗塔１６１よりも下流側では、水洗塔１６１から飛散した腐食性の不純物である塩や有機酸がプラントの運転中に蓄積される。そのため、水洗塔１６１よりも下流の配管を構成する材料としては、耐食性の高いステンレス鋼が用いられている。
【００３６】
プラント運転中の粗製ガスは、還元雰囲気のため、ガス精製装置３００の系統内部の腐食は軽微である。しかし、プラント停止保管期間中においては、ガス精製装置３００の系統内部には酸素が流入するため、耐食性の高い材料であっても腐食が加速され、場合によっては貫通孔が発生するという問題が生じる。
【００３７】
そこで、上記の問題を解決するため、プラント停止保管期間中においては、純水が入った加湿タンク１５２に配管１２６、１２７を介してポンプ１５１により空気を供給する。この空気は、純水の内部に吹き込まれるようにすることが望ましい。これにより、加湿タンク１５２の上部の配管１２８、バルブ１５０及び配管１２２を介して配管１２１の系統に湿度１００％の空気が送られる。加湿タンク１５２には、一定量の純水が保持されるように、配管１２９から純水が供給される。すなわち、加湿タンク１５２は、純水を保持する容器である。バルブ１５０は、プラントが停止し、保管状態に移行した際に開き、同時にポンプ１５１も稼動する。ここで、用いる純水又は空気は、加熱してもよい。
【００３８】
本明細書において「湿度」とは、加湿タンク１５２の純水の温度における飽和水蒸気圧を分母とし、加湿タンク１５２の気相における飽和水蒸気圧を分子として算出した相対湿度をいい、これを百分率（％）で表したものである。
【００３９】
これらの操作により、配管１２１の系統に湿度１００％の空気が送られるため、プラント停止保管期間中に低温度となった配管１２１、１２３等の内壁面に結露（凝縮水）が生じ、プラントの運転中に蓄積された塩や有機酸等の腐食性の不純物が希釈される。これにより、配管１２１、１２３等の内壁面における腐食性の不純物の濃度が低下するため、プラント停止保管期間中における配管１２１、１２３等の腐食を抑制することができる。
【００４０】
加湿に用いる純水又は空気を加熱した場合、配管１２１、１２３等の内壁面に結露が生じやすくなるため望ましい。
【００４１】
なお、結露は、配管の継ぎ目等の隙間、きず等に生じやすい性質がある。これは毛管凝縮によるものである。このように隙間等に結露が生じやすい性質は、腐食性の不純物が隙間等に蓄積され、隙間腐食が発生することを防止することができる点で有効である。また、大量の水をポンプ等で送る必要がないため、必要な動力が小さくて済む利点もある。
【００４２】
本実施例の変形例としては、加湿部に純水を噴霧する装置（噴霧部）を設置することにより、配管等の内部を加湿する構成がある。噴霧部は、噴霧のための空気を供給するポンプを有する。この構成においても、使用する純水の量は、必要最小限となるため、動力が小さくて済む利点がある。
【実施例２】
【００４３】
図２は、停止中に配管や装置の内壁面に付着した腐食性の不純物を洗浄することが可能な構成の例を示したものである。
【００４４】
ここでは、実施例１において図１を用いて既に説明した構成については、説明を省略する。
【００４５】
図２においては、加湿タンク１５２内の水を液体状態で配管１３０からポンプ１７３により配管１７４に送り、配管１２３等の内壁面に蓄積された腐食性の不純物を洗浄することができるようになっている。すなわち、加湿タンク１５２は、洗浄水タンクとして機能する。この場合には、ＣＯＳ転化器１６４に水が入らないようにするため、バルブ１７１及びバルブ１７２を閉とした状態で操作する。
【００４６】
なお、本実施例においても、実施例１と同様に、加湿タンク１５２を加湿のための装置として用いることができる。また、配管１２３等の内壁面に蓄積された腐食性の不純物を洗浄した後で、当該加湿を行うことは更に望ましい。
【実施例３】
【００４７】
図３は、停止中におけるガス精製装置の内部の湿度が腐食に及ぼす影響を示したものである。対象となる材料は、ＳＵＳ３０４鋼及びＳＵＳ３１６鋼を選択している。当該材料は、腐食試験を始める前に、水洗塔の濃縮液を模擬した塩化ナトリウム（ＮａＣｌ）とギ酸（ＨＣＯＯＨ）とを含む水溶液に浸漬した。腐食試験においては、常温の空気を所定の湿度とした雰囲気に当該材料を１００時間放置した。
【００４８】
本図から、湿度が１０％〜５０％の範囲では、ＳＵＳ３０４鋼及びＳＵＳ３１６鋼ともに腐食（孔食）が発生するが、湿度が９０％以上では腐食がほとんど発生していないことがわかる。その理由は、耐食性の高いとされるステンレス鋼の場合、水に触れた状態から乾燥に移行する際に最も腐食が進行することにあると考えられる。湿度９０％以上で乾燥を防止した状態で保管することにより、腐食を抑制することができる。
【実施例４】
【００４９】
図４は、腐食に対する亜硝酸ナトリウム濃度の影響を示したものである。
【００５０】
腐食試験においては、塩化ナトリウム（ＮａＣｌ）とギ酸（ＨＣＯＯＨ）とを含む亜硝酸ナトリウム水溶液に材料（試験片）を浸漬し、常温の空気中で１００時間放置した。
【００５１】
本図から、亜硝酸ナトリウム（ＮａＮＯ２）の濃度が高いほど腐食（孔食）が抑制されることがわかる。ステンレス鋼（ＳＵＳ３０４鋼又はＳＵＳ３１６鋼）の場合は濃度３０ｐｐｍ以上で、炭素鋼の場合は濃度５０ｐｐｍ以上で、孔食を完全に防止できることが分かる。
【００５２】
したがって、鋼材の表面に腐食性の不純物が存在し、それを除去するための洗浄水に５０ｐｐｍ以上の亜硝酸ナトリウムを混合すれば、腐食を抑制することができる。
【実施例５】
【００５３】
図５は、炭素鋼の腐食に及ぼすｐＨ（水素イオン指数）の影響を示したものである。パラメータとして酸素濃度をとっている。腐食試験は、所定濃度の酸素を含む窒素雰囲気にて２５℃で１００時間放置して行った。
【００５４】
ｐＨを高くするための薬剤は、水酸化ナトリウムを用いたが、これに限定されるものではなく、アンモニア、炭酸ナトリウム等でもよい。
【００５５】
本図から、ｐＨが高くなるほど炭素鋼の腐食量が低下すること、並びに、酸素濃度５ｐｐｂ及び１００ｐｐｂともにｐＨ９．５以上においてはほとんど腐食しないことがわかる。したがって、洗浄水等の水質をｐＨ９．５以上に調整すれば、炭素鋼でも腐食しないと考えられ、ステンレス鋼においては更に腐食しないと考えられる。
【００５６】
以下、本発明の効果について説明する。
【００５７】
本発明によれば、石炭ガス化システムのガス精製装置において、安価な材料を用いた配管等であっても腐食を抑制することができ、これにより製造コストを低減することができる。このため、配管等のメンテナンスのためのコストを低減することができる。
【００５８】
また、本発明によれば、大量の水をポンプ等で送る必要がないため、必要な動力を小さくすることができ、これによりランニングコストを低減することができる。
【００５９】
さらに、本発明によれば、配管の腐食による毒性ガスの漏出を防止することができる。
【符号の説明】
【００６０】
１：微粉炭、２：窒素、３：酸素、４、５０１：空気、５：石炭ガス、６：精製ガス、７：シフトガス、８：脱炭酸ガス、１００：酸素製造装置、１０１：空気圧縮機、１２０、１２１、１２２、１２３、１２４、１２５、１２６、１２７、１２８、１２９、１３０、１７４：配管、１５０、１７１、１７２：バルブ、１５１、１７３：ポンプ、１５２：加湿タンク、１５３：熱交換器、１６１：水洗塔、１６４：ＣＯＳ転化器、２００：ガス化炉、２１０：熱回収装置、２２０：サイクロン、２３０：フィルタ、３００：ガス精製装置、３１０：脱硫装置、４００：一酸化炭素変換装置、４１０：二酸化炭素吸収装置、５００：ガスタービン、６００：排熱回収ボイラ、７００：蒸気タービン、８００：煙突。
【図１】
2014185208.tif 000003
【図２】
2014185208.tif 000004
【図３】
2014185208.tif 000005
【図４】
2014185208.tif 000006
【図５】
2014185208.tif 000007
【図６Ａ】
2014185208.tif 000008
【図６Ｂ】
2014185208.tif 000009